(57)【要約】      （修正有）【課題】多孔板から流出した流体と他の流体とを合流させるに際し合流部での流動を安定化させるとともに、流路の変形による積層構造の乱れを抑制され、精度よく積層された多層積層フィルムを製膜することができる流体積層装置および流体積層方法を提供する。【解決手段】複数のマニホールド５と、マニホールドのうち少なくとも１つと連通し複数の孔が設けられた多孔板６と、多孔板と連通し複数の流体を合流せしめる合流部７と、合流部より流動方向下流でかつ吐出部８より上流において流路の奥行方向の壁面の縮流角度αが１５°以上９０°以下である縮流部とを備えた流体積層装置。【選択図】図１ａ
2009096190.tif 000002
【特許請求の範囲】
【請求項１】
複数の流体を前記流体の数よりも多い層数の層を形成するように積層する流体積層装置であって、前記流体を供給する複数のマニホールドと、前記マニホールドのうち少なくとも１つと連通する積層方向に複数の孔が設けられた多孔板と、前記多孔板と連通し前記複数の流体を合流せしめる合流部と、前記積層方向に延びる吐出部と、前記合流部より前記流体の流動方向下流側でかつ前記吐出部よりも上流側において前記積層方向と前記流動方向とに直交する流路の奥行方向の壁面の縮流角度αが１５°以上９０°以下である縮流部とを備えたことを特徴とする流体積層装置。
【請求項２】
前記複数のマニホールドのうち、前記流体の流動方向下流側に前記多孔板を有しない前記マニホールドと前記合流部との間に設けられた流路のうち、少なくとも一つの流路（流路Ａ）において奥行方向の長さが積層方向に変動するストライプ状の凹凸が設けられていることを特徴とする請求項１に記載の流体積層装置。
【請求項３】
前記流路Ａに設けられたストライプ状の凹凸の凹部の前記合流部側末端が、前記多孔板の隣り合う孔と孔の間に相対するように配置されてなることを特徴とする請求項２に記載の流体積層装置。
【請求項４】
前記流路Ａの合流部入口において、前記合流部の流路の中心軸と前記流路Ａの流路の中心軸とがなす角度γが６０°以上１２０°以下であることを特徴とする請求項２または３に記載の流体積層装置。
【請求項５】
前記多孔板に設けられた孔が複数の小孔からなる小孔群を形成してなる請求項１〜４のいずれかに記載の流体積層装置。
【請求項６】
前記縮流部における流路の奥行方向の壁面の縮流角度αが３０°以上６０°以下であることを特徴とする請求項１〜５のいずれかに記載の流体積層装置。
【請求項７】
前記合流部以降における流路の積層方向の長さの最大値が、流路の積層方向の長さの最小値の２倍以下であることを特徴とする請求項１〜６のいずれかに記載の流体積層装置。
【請求項８】
複数の流体を前記流体の数よりも多い層数の層を形成するように積層させる流体の積層方法であって、前記流体のうち少なくとも一つの流体をマニホールドを経由して積層方向に複数の孔が設けられた多孔板に供給し、前記多孔板から流出した流体と前記流体とは異なる流体とを前記合流部にて合流させて積層流とし、前記積層流を縮流角度αが１５°以上９０°以下の縮流部にて前記積層方向と前記流動方向とに直交する奥行方向に圧縮して所望の流路幅とすることを特徴とする流体の積層方法。
【請求項９】
前記多孔板に設けられた複数の小孔からなる小孔群より流体を流出させ、合流部において一つの小孔群から流出した各流体を合流させることにより一つの層を形成させることを特徴とする請求項８に記載の流体の積層方法。
【請求項１０】
前記合流部において複数の流体を合流させ積層流とするに際し、全ての多孔板から流出される流体の温度の差が１０℃以内であることを特徴とする請求項８または９に記載の流体の積層方法。
【請求項１１】
請求項８〜１０のいずれかに記載の流体の積層方法で複数の流体を積層し、前記流体積層装置から流出した流体をシート状に成型することを特徴とする積層フィルムの製造方法。
【発明の詳細な説明】
【技術分野】
【０００１】
本発明は、流体積層装置および流体の積層方法に関するものである。
【背景技術】
【０００２】
性質の異なる樹脂がフィルムの厚み方向に積層された多数の層に積層された多層積層フィルムは、耐引裂性の向上や光の干渉反射性の向上などの特異な性質を示すことから、ガラスの破損・飛散防止用フィルムやダイクロイックミラー、金属調の外観を持つフィルムなどとして応用されている（たとえば特許文献１、２）。多層積層フィルムの製膜には異なる経路を経て供給された流体を合流させ、多界面を形成することができる流体積層装置が、製膜に要するコストの面で有利であるため広く用いられている。これらの中に多層共押出フィードブロックを含む流体積層装置があり、本装置を用いることにより非常に高い積層精度で多層積層フィルムの製膜を行うことが可能となる（たとえば特許文献３）。フィードブロック４５ならびに直管４６、口金４７含む流体積層装置の概略図を図８ａ、図８ｂに示す。図８ａは流体積層装置の奥行方向の中央における積層方向−流動方向の断面図であり、図８ｂは流体積層装置の積層方向の中央における奥行方向−流動方向の断面図である。フィードブロック４５は、その内部に、流体Ａ、流体Ｂを導入する導入路４８、４９と、導入路４８、４９により導入された流体Ａ、流体Ｂを積層方向に拡げるマニホールド５０、５１と、各マニホールド５０、５１からの各流体を下流側に導くスリット５２の列とを有しており、さらにスリット５２の出口側には合流部５３が設けられていて、スリット５２からの流体Ａ、流体Ｂが交互に多層に積層されて積層流を形成できるようになっている。上記の方法で作製された積層流はフィルム厚み方向に積層された多層積層フィルムへと成型するのに適さない形状であるため、合流部５３以後のフィードブロック４５、直管４６、口金４７内の流路において、積層方向への流路の縮小ならびに奥行方向への拡幅を行い、フィルムを成型するのに適した形状へと変形させるものである。
【０００３】
本発明者らの知見によれば、このような流体積層装置に設けられた合流部５３では、あらかじめスリット５２内で積層構造に類似した流路形状を作製し、スリット５２から交互に流出する流体Ａと流体Ｂの流動の向きや流速もほぼ同一とすることから、合流点における層の界面での流動の乱れはあまり考慮する必要は無い。
【０００４】
一方、積層方向をフィルム厚み方向からフィルム幅方向へと変更した多層積層フィルムも、多数のコアを有する光導波路フィルムとして注目されている。光導波路フィルムの製膜においても上記の多層共押出フィードブロックを用いることは可能である（たとえば特許文献４）。
【０００５】
しかし、この場合、フィルムの幅方向中央部では設計した層構造を積層精度高く実現することが可能となるものの、例えば特許文献４に示される装置においては、多層積層フィルムの層厚みが小さくなる場合にスリットの加工精度に制約があるため、スリットの間隙を小さく出来ず、積層後に積層方向ならびに奥行方向に流路の変形により所望するフィルムの形状へと変化させる必要がある。そのため、前述の流体積層装置と同様合流部での積層構造の乱れは生じないものの、特に流路の積層方向への変形によりフィルムの幅方向端部では積層後の流動において層構造が変形し、望む形状の層を得ることができない場合がある。
【０００６】
多層共押出フィードブロック以外にフィルム幅方向に積層された多層積層フィルムの製膜方法として、多数の微細な孔を有する流体積層装置を用いる方法がある（たとえば特許文献５）。その１例である流体積層装置１は、図１ａ、ｂに示すように構成されている。図１ａは、２つの流体をフィルム幅方向に層をなすように積層状に合流させるための流体積層装置の概略図であり、装置の積層方向の中央部における合流部での奥行方向−流動方向の断面図を示したものである。図１ｂは、２つの流体をフィルム幅方向に層をなすように積層状に合流させるための流体積層装置の概略図であり、装置奥行方向の中央部における合流部での積層方向−流動方向の断面図を示したものである。流体積層装置１は、その内部に流体Ａ、流体Ｂを装置内に導入する導入口２、３、導入口に導入された流体をフィルム幅方向に均等に拡げるためのマニホールド４、５、マニホールド４に連通し多数の孔が設けられた多孔板６、多孔板６から流出する流体とマニホールド５に導入された流体を合流し積層する合流部７、合流部７で積層された積層流を流体積層装置１の外部へ吐出する吐出部８からなる。本流体積層装置を用いることにより、フィルム幅方向のいずれの位置においても設計を満たす多層積層フィルムを製膜することが可能となると記載されている。
【０００７】
本発明者らの知見によれば、流体の流量が多くなるに従い得られる多層積層フィルムの構造に乱れが生じ、たとえば、フィルムの長手方向の箇所により断面形状が変化するという経時的な変化が生じたり、ひどい場合には層構造をなさなくなるという問題があった。
【０００８】
本発明者らの知見によれば、上記の多層積層フィルムの構造の乱れは、合流時の流体Ａと流体Ｂの流速の増加による合流時の流動の安定性の低下に起因するものである。つまり、前述のスリットを含む流体積層装置とは異なり、合流時に多孔板６の孔から流出した糸状の流体の周囲をマニホールド５から供給される流体が回り込むことにより積層流となるものであるが、その時に多孔板６から流出した流体とマニホールド５から供給される流体の流動の向きや流速が異なることから、合流部７での界面の乱れが生じやすくなるものである。特に、マニホールド５から供給される流体の流速が速くなるに従い、合流時に多孔板６から流出した流体に対するマニホールド５から供給された流体の影響により流動の乱れが悪化する。
【０００９】
また、本発明者らの知見によれば、多孔板６上の隣り合う孔の間隔によっては、合流時にマニホールド５から供給される流体の流量に対して多孔板６の孔から供給される流量が多いときに、多孔板の隣り合う孔から流出した流体が合流することにより所望する数の層を形成することができないという問題もあった。そのため、孔の間隔や積層される流体の流量比が制約され、所望する多層積層フィルムを得ることができない場合もあった。
【特許文献１】特開平１０−７６６２０号公報（第２頁）
【特許文献２】特開２００５−２８８７８４号公報（第２頁）
【特許文献３】特開２００６−１３０９１２号公報（第２頁）
【特許文献４】特開２００６−２２１１４５号公報（第２頁）
【特許文献５】特公平５−７０５７１号公報（第２頁）
【発明の開示】
【発明が解決しようとする課題】
【００１０】
本発明における流体積層装置では、合流部における奥行方向の流路の幅を十分設けることにより合流部での流動を安定化させるとともに、流路の変形による積層構造の乱れを抑制され、精度よく積層された多層積層フィルムを製膜することができる流体積層装置および流体積層方法を提供することを目的とする。
【００１１】
また、積層される流体の流量比に制約されることなく流体を所望する数の層に形成することができる流体積層装置を提供することを目的とする。
【課題を解決するための手段】
【００１２】
上記目的を達成するため、本発明によれば、複数の流体を前記流体の数よりも多い層数の層を形成するように積層する流体積層装置であって、前記流体を供給する複数のマニホールドと、前記マニホールドのうち少なくとも１つと連通する積層方向に複数の孔が設けられた多孔板と、前記多孔板と連通し前記複数の流体を合流せしめる合流部と、前記積層方向に延びる吐出部と、前記合流部より前記流体の流動方向下流側でかつ前記吐出部よりも上流側において前記積層方向と前記流動方向とに直交する流路の奥行方向の壁面の縮流角度αが１５°以上９０°以下である縮流部とを備えた流体積層装置が提供される。
【００１３】
また、本発明の好ましい形態によれば、前記複数のマニホールドのうち、前記流体の流動方向下流側に前記多孔板を有しない前記マニホールドと前記合流部との間に設けられた流路のうち、少なくとも一つの流路（流路Ａ）において奥行方向の長さが積層方向に変動するストライプ状の凹凸が設けられている流体積層装置が提供される。
【００１４】
また、本発明の好ましい形態によれば、前記流路Ａに設けられたストライプ状の凹凸の凹部の前記合流部側末端が、前記多孔板の隣り合う孔と孔の間に相対するように配置されてなる流体積層装置が提供される。
【００１５】
また、本発明の好ましい形態によれば、前記流路Ａの合流部入口において、前記合流部の流路の中心軸と前記流路Ａの流路の中心軸とがなす角度γが６０°以上１２０°以下である流体積層装置が提供される。
【００１６】
また、本発明の好ましい形態によれば、前記多孔板に設けられた孔が複数の小孔からなる小孔群を形成してなる流体積層装置が提供される。
【００１７】
また、本発明の好ましい形態によれば、前記縮流部における流路の奥行方向の壁面の縮流角度αが３０°以上６０°以下である流体積層装置が提供される。
【００１８】
また、本発明の好ましい形態によれば、前記合流部以降における流路の積層方向の長さの最大値が、流路の積層方向の長さの最小値の２倍以下である流体積層装置が提供される。
【００１９】
また、本発明の別の形態によれば、複数の流体を前記流体の数よりも多い層数の層を形成するように積層させる流体の積層方法であって、前記流体のうち少なくとも一つの流体をマニホールドを経由して積層方向に複数の孔が設けられた多孔板に供給し、前記多孔板から流出した流体と前記流体とは異なる流体とを前記合流部にて合流させて積層流とし、前記積層流を縮流角度αが１５°以上９０°以下の縮流部にて前記積層方向と前記流動方向とに直交する奥行方向に圧縮して所望の流路幅とする流体の積層方法が提供される。
【００２０】
また、本発明の好ましい形態によれば、前記多孔板に設けられた複数の小孔からなる小孔群より流体を流出させ、合流部において一つの小孔群から流出した各流体を合流させることにより一つの層を形成させる流体の積層方法が提供される。
【００２１】
また、本発明の好ましい形態によれば、前記合流部において複数の流体を合流させ積層流とするに際し、全ての多孔板から流出される流体の温度の差が１０℃以内である流体の積層方法が提供される。
【００２２】
また、本発明の別の形態によれば、上記の流体の積層方法で複数の流体を積層し、前記流体積層装置から流出した流体をシート状に成型する積層フィルムの製造方法が提供される。
【発明の効果】
【００２３】
本発明の流体積層装置によれば、多層積層フィルムの層の形状の乱れの原因となる合流時の流動の乱れを抑制することが可能となる。
【００２４】
また、積層される流体の流量比に制約されることなく流体を所望する数の層に形成することが可能となる。
【発明を実施するための最良の形態】
【００２５】
以下に本発明の実施の形態について図面に基づいて詳細に述べるが、本発明は以下の実施例を含む実施の形態に限定されるものではなく、発明の目的を達成できて、かつ、発明の要旨を逸脱しない範囲内においての種々の変更は当然あり得る。
【００２６】
本実施形態においては、流体積層装置において同一の導入口から流体積層装置に供給された流体を同一の流体として取扱う。すなわち、化学的な組成が全く同一の流体であっても、異なる導入口に供給されたものであれば異なる流体として取扱い、化学的に異なる組成の流体を混合して作られた混合流体であっても、同一の導入口に供給されたものであれば同一の流体として取り扱う。
【００２７】
本発明における流体積層装置の一実施形態例として、２種類の流体を積層する流体積層装置１１の概略図を図２に示す。なお、図２ａは２つの流体をフィルム幅方向に層をなすように積層状に合流させるための流体積層装置１１の概略図であり、図２ｂ、ｃにおけるＸ−Ｘ断面矢視図である。図２ｂは２つの流体をフィルム幅方向に層をなすように積層状に合流させるための流体積層装置１１の概略図であり、図２ａにおけるＹ−Ｙ断面矢視図である。図２ｃは２つの流体をフィルム幅方向に層をなすように積層状に合流させるための流体積層装置１１の概略図であり、装置の積層方向の中央部における合流部での奥行方向−流動方向の断面図である。図２ｄは２つの流体をフィルム幅方向に層をなすように積層状に合流させるための流体積層装置１１の図２ａ、ｂ、ｃとは異なる実施形態についての概略図であり、装置の積層方向の中央部における合流部での奥行方向−流動方向の断面図である。以後、積層方向とは、多孔板中の孔の配列している方向とし、流動方向とは各構成要素において積層方向と流路の中心軸とがなす面上で積層方向に垂直である方向とし、奥行方向は積層方向、流動方向に垂直な方向とする。たとえば、図２ａにおいて合流部を基準として方向を示すと、紙面左右方向がフィルムの幅方向に相当する積層方向、上下方向がフィルムの厚み方向に相当する奥行方向、紙面に垂直な方向が流体の流動方向に相当する流動方向である。
【００２８】
なお、ここでは、２種類の流体を積層する流体積層装置について例示しているが、装置に供給される流体は３種類以上であってもよく、その流体が別々の供給源から供給された流体であっても、同一の供給源から分割した流体であってもよい。重要なことは、流体積層装置内に設けられる合流部に供給される経路が２つ以上あることである。
【００２９】
図２ａ，図２ｂ，図２ｃ、図２ｄに示す流体積層装置１１には、装置上面に流体Ａを導入するための開口部が設けられており、開口部から導入口１２が設けられマニホールド１４へと連通している。一方、装置の積層方向側面に流体Ｂを導入するための開口部が設けられており、開口部から導入口１３が設けられている。導入口１３は途中で２つの流路へと分岐した構造となっており、異なるマニホールド１５、１６へと連通している。
【００３０】
本実施形態における流体積層装置においては、マニホールドが設けられることが好ましい。マニホールドを設けることで、供給された流体の流動の乱れや圧力損失を緩和し、マニホールド以後で特に流体積層装置の積層方向に均等に安定して流体を供給することができることから、合流部の積層方向のいずれの箇所においても同様に精度良く流体を合流させることが可能となる。より好ましくは、各々の流路に対して１つ以上のマニホールドを設けることである。各々の流路に対してマニホールドを設けることにより、合流させる全ての流体に対して供給された流体の流動の乱れや圧力損失を緩和し、合流部の供給されるすべての流体を均等に安定して流体を供給することができることから、より精度良く流体を合流させることが可能となる。
【００３１】
マニホールド１４の流動方向下流側に直結する形で、多孔板１７が設けられている。多孔板１７の概略図を図３ａ、ｂに示す。図３ａは、積層方向に直列な孔の列が一列配置してなる多孔板１７の流動方向上部から見た概略図である。図３ｂは、積層方向に直列な孔の列が二列配置してなる多孔板１７の流動方向上部から見た概略図である。多孔板１７には、複数の孔２１が設けられている。多孔板に複数の孔２１を設けることで、共押出法以外の方法で複数個以上の層をもつ多層積層フィルムを作製する際と比較して、簡便さ、低コストの面で優位となる。また、孔の数の上限については特に限定されるものではないが、１００個以上の孔を設けることにより、実質的に他の手法ではコスト面や精度面から実現が難しい数の層をもつフィルム幅方向に積層された多層積層フィルムを精度良く作製することが可能となる。
【００３２】
また、本実施形態における多孔板１７においては、孔２１の配置については特に限定されるものではなく任意に設定できるものである。特に、光導波路フィルムとして用いる場合には、フィルムのフレキシビリティーの観点から厚みを薄くすることや他のデバイスとの接続の容易さが求められ、層は直線状に配置されることが望まれるため、図３ａに示すように孔２１は積層方向に対して実質的に直線状に配置されることが好ましい。また、図３ｂに示すとおり、積層方向に対して実質的に直線状に配置されてなる孔の列が奥行方向に数列並ぶように孔２１を設けることにより、より光導波路のチャンネル数を効率的に増やすことが可能であり、好ましい。
【００３３】
多孔板１７の孔２１の形状について、以下に詳しく説明する。図３ｄは、多孔板１７の積層方向の端部の様子を示した概略図である。
【００３４】
本実施形態における流体積層装置１１の孔２１の形状は、特に限定されるものではなく、正方形でも長方形でも円形でもよい。また、所望する多層積層フィルム中の層の形状によっては、複数の小孔からなる小孔群を形成せしめることも好ましい。ここでいう小孔とは、多孔板中の隣接する孔と孔の間隔の平均と比較して短い間隔で隣接する孔の集合体であるとする。図３ｃは、奥行方向に並んだ４つの小孔からなる小孔群が積層方向に直列に配置してなる多孔板１７の流動方向上部から見た概略図である。本発明者らの知見によれば、孔から流出した流体は、以後の流動の過程、特に孔から流出した直後の流動において形状が若干変形し、結果として得られる積層フィルムの層の形状は所望するものとは異なってしまう場合があるが、複数の小孔から流出する流体を合流させることにより、得られる層の形状を制御することが可能となる。例えば、所望する層の形状がアスペクト比の大きい長方形のように扁平な形状の層を得ようとする場合には、扁平度の大きな形状の孔を用いても孔から流出する際に扁平な流路からは短辺方向に大きく層が拡幅し、層の所望する形状の層を得ることができなかったり隣接する層と合流する場合がある。しかし、図３ｃに示すように複数個の円または正方形などのアスペクトの小さい形状の小孔を積層方向の小孔の間隔よりも小さい間隔で直列に配置することにより、扁平な形状の孔を用いたときと比較して積層方向への大きな層の拡幅を抑えて積層方向に隣接した小孔から流出した流体が合流部以後の流動過程で合流することを抑制することができ、かつ奥行方向に隣接した小孔から流出した流体同士を合流部で合流させることにより所望する扁平な層の形状を得ることが可能となる。また、三角形や四角形、星型などの多角形状の層を得ようとする場合には、孔の形状を三角形や四角形などの多角形としても、流動させる流体の流動特性や合流部の形状によっては層の形状が変形し、所望する形状を得ることができない場合がある。しかし、そのような場合においても多角形の頂点をなすように小孔を配置した小孔群を形成させることにより孔の形状を多角形とする場合と比較して所望する層の形状を得やすくなる。
【００３５】
また、小孔群が積層方向に配列してなることも好ましく、この場合、得られた多層積層フィルムにおいては小孔群から流出した流体が合流して一つの層を形成することにより、幅方向に所望する形状の層が配列した多層積層フィルムを得ることが可能となる。当然、孔の配列のときと同様に積層方向に配列した小孔群が奥行方向に複数列存在してもよく、所望する形状の層が複数列配列してフィルムを得ることができ、光導波路のチャンネル数を効率的に増やすことが可能となるが、この場合、奥行方向に隣接する小孔群の間隔よりも小孔群を構成する小孔間の孔の間隔を短くする必要がある。
【００３６】
また、多孔板は容易に取替えが可能なものであることが好ましい。この場合、孔２１の形状が異なるフィルムや、孔の数、配置が異なるフィルムを作製する際に、流体積層装置全体を別の装置に取り替えるのではなく多孔板のみを取り替えることにより対応可能であるため、装置の制作コストという面で好ましい。
【００３７】
本実施形態における流体積層装置１１の孔２１の積層方向の長さ２２ならびに奥行方向の長さ２３は、１００μｍ以上であることが好ましい。ここでいう孔２１の積層方向の長さ２２とは、孔２１の積層方向の長さの最大値であり、孔２１の奥行方向の長さ２３とは、孔２１の奥行方向の長さの最大値である。１００μｍ以下である場合には、加工精度が低下し、作製された多層積層フィルムの積層精度が低下する可能性がある。１００μｍ以上とすることにより、高い加工精度を実現することができ、高い積層精度の多層積層フィルムを得られるものである。
【００３８】
本実施形態における流体積層装置１１の孔２１の間隔２４は、１００μｍ以上であることが好ましい。ここでいう孔２１の間隔２４とは、孔２１の間隔２４の最小値である。孔２１の間隔２４が１００μｍ未満となることにより、多孔板１７の耐圧性が低下し、変形・破損の原因となる可能性がある。孔２１の間隔２４が１００μｍ以上であることにより、多孔板１７の変形・破損なく精度よく流体を積層することが可能となる。
【００３９】
本実施形態における流体積層装置１１の多孔板１７の厚み２５（流動方向の長さ）は、５００μｍ以上であることが好ましい。ここでいう多孔板１７の厚み２５とは、多孔板１７中の厚みの最小値である。多孔板１７の厚み２５が５００μｍ未満である場合、孔にかかる圧損のため、変形・破損の原因となる可能性がある。多孔板１７の厚み２５が５００μｍ以上であることにより、多孔板１７の変形・破損なく精度よく流体を積層することが可能となる。
【００４０】
本実施形態における流体積層装置１１の孔２１の形状は、上述のとおり任意に設定できるものである。
【００４１】
しかし、本発明者の知見によれば、ある所望のフィルム幅や各層の厚みの多層積層フィルムを得るときに、積層方向において所望する層の厚みとは異なる間隔で孔が設けられた多孔板を用い、合流部で作製された積層流を積層方向に圧縮または拡大させると、積層方向の端部に設けられた層の形状に変形が起こり望まれる多層積層フィルムを得ることができない場合がある。このため、所望のフィルム幅や各層の厚みの多層積層フィルムと同等の積層方向の間隔で孔が設けられた多孔板を設けることが好ましい。
【００４２】
しかし、一方で孔が微小となるに従い多孔板で生じる圧損が上昇し、多孔板の変形・破損の原因となる。そのため、孔２１のうち積層方向の層の長さが１０００μｍ以下となる孔については、孔２１の積層方向の長さ２２に対して孔の奥行方向の長さ２３が２倍以上であることが好ましい。この場合、孔の形状にアスペクトを設けることにより、積層方向の長さを変更することなく圧損を低下させ、多孔板の変形・破損を防ぐものである。孔２１の積層方向の長さ２２に対して孔の奥行方向の長さ２３が２倍以上である多孔板を用いて合流部にて作製された積層流は、合流部以後にて奥行方向に圧縮することにより望まれる形状に変形することが可能であるが、この際に奥行方向に圧縮する場合には、積層方向に圧縮する場合と比較して流動の変形はほとんど生じないため、多層積層フィルムの層の形状の乱れはもたらさない。また、孔２１うち積層方向の長さが４００μｍ以下となる孔においては、孔２１の積層方向の長さ２２に対して孔の奥行方向の長さ２３が５倍以上であることが好ましい。孔２１の積層方向の長さ２２が小さくなるに従い、孔の奥行方向の長さ２３の長さを長く設定することで圧損を低下させることが好ましいためである。
【００４３】
本実施形態における流体積層装置１１の多孔板１７は、積層方向端部に設けられた孔から多孔板の端部までの距離２６が多孔板の積層方向の長さの１％以上であることが好ましい。ここでいう多孔板の積層方向の長さとは、多孔板の積層方向の長さの最大値のことである。多孔板の積層方向の端部には、多孔板にかかる圧損のため非常に大きな力がかかっているが、最も積層方向端部に設けられた孔から多孔板の端部までの距離２６が多孔板の積層方向の長さの１％以上とすることにより、端部にかかる力による多孔板の変形を抑制することが可能となる。より好ましくは、最も積層方向端部に設けられた孔から多孔板の端部までの距離２６が多孔板の積層方向の長さの３％以上であることであり、この場合、多孔板の変形のリスクはほぼ抑制できるものである。
【００４４】
本実施形態における流体積層装置１１の多孔板１７は、すべての孔において多孔板の奥行方向の端部から孔までの距離２７が１００μｍ以上であることが好ましい。多孔板の奥行方向の端部から孔までの距離２７が１００μｍ未満である場合、多孔板１７の耐圧性が低下し、変形・破損の原因となる可能性がある。多孔板の奥行方向の端部から孔までの距離２７が１００μｍ以上であることにより、多孔板１７の変形・破損なく精度よく流体を積層することが可能となる。また、すべての孔において、多孔板１７の奥行方向の端部から孔までの距離２７が多孔板１７の奥行方向の長さ２８の１０％以上であることが好ましい。ここでいう多孔板１７の奥行方向の長さ２８とは、多孔板１７の奥行方向の長さの最大値である。多孔板１７の奥行方向の端部から孔までの距離２７が多孔板１７の奥行方向の長さ２８の１０％以上であることにより、多孔板の変形・破損をほぼ抑制することができるものである。
【００４５】
多孔板１７は合流部１８へと直結しており、多孔板を経由した流体は合流部１８へと孔の形状を保った状態で流出する。一方、合流部１８は扁平流路を経てマニホールド１５、１６へとも連通しており、マニホールド１５、１６へ供給された流体は前記の扁平流路３４、３５を経て合流部１８へ供給される。合流部１８より流動方向下流側に位置する流路において、流路の奥行方向の長さが減少する縮流部１９をもち、装置の出口に相当する吐出部２０が設けられる。
【００４６】
以下、合流部以後の形状の詳細について、さらに詳しく説明する。なお、以後流路等の形状について説明するときは、特記しない限り、流体の流路の中心軸２９を含み奥行方向に平行な断面における形状等を議論する。
【００４７】
ここでいう流路の中心軸２９は、以下のとおりに定義されるものであり、図４ａ、図４ｂ、図５を用いて説明する。図４ａ、図４ｂは合流部以後の流路の説明図であり、装置の積層方向の中央部における合流部での奥行方向−流動方向の断面図である。図５は中心軸を定義する説明図であり、装置の積層方向の中央部における奥行方向−流動方向の断面図である。流路の中心軸２９とは、流体の流れの代表的な経路を表すものである。この中心軸２９は、積層方向を含む面であって、かつ合流部以後の流路の体積を２分する平面３０内の点であって、合流部以後の流路の奥行方向での両末端の壁面で最も流動方向の上流に位置する点を結んだ直線の中点で３１を始点とし、装置の出口に相当する吐出部２０における積層方向および奥行方向の中心に位置する点３２を終点とする、一般には曲線となる線である。流路の中心軸２９は、流路の奥行方向の中心点Ｇ０を起点とする。流路の中心軸上の次の点は、合流中心面内方向であって積層方向に直交する方向で下流の方向に微小長さΔだけ進んだ点Ｇ０‘における上記下流の方向に垂直な平面Ｐ１と流路の交線に囲まれた平面図形（流路断面）の重心点Ｇ１である。流路の中心軸上のさらに次の点は、上記重心点Ｇ１を新たな起点とし先の中心点Ｇ０からＧ１に向かう流路方向Ｄ１に微小長さΔだけ進んだ点Ｇ１‘における上記流路方向Ｄ１に垂直な平面Ｐ２と流路の交線に囲まれた平面図形の重心点Ｇ２である。以下同様に下流に向かう流路断面の重心点をつないだ曲線が流路の中心軸２９となる。この様子を示したのが図５である。
【００４８】
次に、流路の中心軸２９と壁面のなす角度である縮流角度αについて詳細に定義する。図４ａ、図４ｂにおいて、中心軸２９と縮流角度αを成す壁面の部位は、中心軸２９の各点ｘからその点における流路断面内に積層方向に伸ばした直線と壁面とが交わる点ｗｘとする。縮流角度αは、この点における、上記直線と点ｘにおける流路の中心軸２９の向いている方向とを含む平面内での壁面上の点ｗｘで壁面と接する直線と流路の中心軸上の点ｘを通り点ｘ上での流路の中心軸の向きに伸ばした直線とがなす角度をもって定義する。この様子を図４ａ、図４ｂに示す。ただし、ここでいう壁面は、流体が接する面であって、壁面の傷、凹み、壁表面の面粗度による凹凸、また温度などを測定するための穴などの加工および面取加工等は含まない。また、縮流角度αは、流体の流れ方向に対して中心軸２９と成す角度を表し、樹脂の流れが拡幅する方向をマイナス、縮流する方向をプラス、中心軸２９と平行な方向を０°として定義する。
【００４９】
図２ｃ、図４ａ、図４ｂに示すように、本実施形態における流体積層装置１１の合流部１８とは、多孔板１７の流動方向下流側の面よりも下流の流路であり、かつマニホールド１５、１６と合流部１８の間に設けられた流路Ａ３４、３５の合流部入口４０より下流側の流路であり、かつ流路の奥行方向の壁面の縮流角度αは−１５°より大きく１５°未満である箇所のことである。ここでいうマニホールド１５、１６と合流部１８の間に設けられた流路３４、３５の合流部入口とは、流路の奥行方向−流動方向の断面における流路下部壁面上の点ｚにおける壁面に接する接線と、点ｚから流路上部壁面へ下ろした垂線とのなす角度βが８５°以下となる箇所であり、かつもっとも流路の中心軸との距離が短い点であるとする。また、ここでいう縮流角度αとは、流路の奥行方向の両壁面と流路の中心軸２９がなす縮流角度αの平均値である。多孔板１７の直後に流路の奥行方向の壁面の縮流角度αが−１５°より大きく１５°未満である箇所を備えていない流体積層装置であっても、流体の種類や流量に最適な装置を設計することにより、所望する形状の多層積層フィルムを得ることが可能である。しかし、多孔板１７の直後に流路の奥行方向の壁面の縮流角度αが−１５°より大きく１５°未満である箇所を有することにより、マニホールド１５、１６から供給された流体の流速を効果的に緩和することができ、合流時の流動を安定化させることが可能となり、単一の装置で種々の流体を異なる流量で供給して多層積層フィルムを作製する際にも、同様に所望する形状の多層積層フィルムを得ることが出来る。
【００５０】
本実施形態における流体積層装置１１においては、流体の流動方向下流側に多孔板を有しないマニホールド１５、１６と合流部１８との間に設けられた流路３４、３５のうち、少なくとも一つの流路（流路Ａ）において奥行方向の長さが積層方向に変動するストライプ状の凹凸が設けられていることが好ましい。ここでいう奥行方向の長さが積層方向に変動するストライプ状の凹凸とは、流路Ａの奥行方向から見た場合に流路Ａの流動方向を長手方向とし、積層方向において流路Ａの奥行方向の長さが変動する凹凸であり、その様子を図４ｃ、ｄに示す。図４ｃは、積層方向に変動するストライプ状の凹凸の説明図であり、流路Ａを奥行方向から見た概略図である。図４ｄはストライプ状の凹凸の断面形状についての説明図であり、マニホールド１５、１６と合流部１８との間に設けられた流路Ａの合流部入口における奥行方向−積層方向の断面図である。本発明者らの知見によれば、マニホールドと合流部の間の流路Ａの形状が四角形である場合、流路Ａから合流部に供給される流量に対し多孔板１７を経て合流部に供給される流量の比率が大きいときに、多孔板中の隣り合う孔２１から流出した流体同士が合流し、所望する層数を形成することができない場合があった。しかし、奥行方向の長さが積層方向に変動するストライプ状の凹凸が設けられることにより、流路Ａ内の凹部での流量が増加、凸部での流量が減少し、合流部に供給される流体の流量に積層方向で分布を設けることが出来ることから、積層方向に分布する孔から流出した流体の流動を制御することで所望する層数の多層積層フィルムを得ることが可能となる。
【００５１】
より好ましくは、流路Ａに設けられたストライプ状の凹凸の凹部の合流部側末端が、多孔板の隣り合う孔と孔の間に相対するように配置されてなることである。ここでいうストライプ状の凹凸の凹部の合流部側末端が、多孔板の隣り合う孔と孔の間に相対するように配置されてなるとは、ストライプ状の凹凸の凹部の一部が、積層方向において多孔板の隣り合う孔と孔の間に位置するように配置されることである。ストライプ状の凹凸の凹部の合流部側末端が、多孔板の隣り合う孔と孔の間に相対するように配置されることにより、隣り合う孔の間の流路Ａから供給される流体の流量を多くでき、隣り合う孔から流出した流体同士が合流することを抑制する効果が顕著となる。
【００５２】
また、ストライプ状の凹凸の凹部の数は特に限定されるものではなく、たとえば、多孔板１７の隣り合う孔と孔の間隔が短い箇所や孔の大きさが他の孔よりも大きくなっている箇所など特に隣り合う孔から流出した流体が合流しやすい箇所のみに設けてあれば十分に効果はある。より好ましくは、全ての孔と孔の間にストライプ状の凹凸の凹部があれば、全ての多孔板の隣り合う孔と孔から流出した流体が合流することを抑制できるようになり、孔の間隔や供給される流体の流量比によらず所望する多層積層フィルムを得ることが可能となる。図４ａ、図４ｂに示すようにマニホールドと合流部の間に設けられた流路を２つ以上備える流体積層装置においては、少なくとも１つの流路においてストライプ状の凹凸を備えることで十分に効果はあるが、全ての流路においてストライプ状の凹凸を備えることにより、顕著な効果を得ることができる。
【００５３】
また、隣り合うストライプ状の凹凸の凹部の流路幅３６が凸部の流路幅３７の１．５倍以上であることが好ましい。ここでいう凸部の流路幅とは、一つの凸部における奥行方向の長さの最大値であり、凹部の流路幅とは、一つの凹部における奥行方向の長さの最大値である。隣り合うストライプ状の凹凸の凹部の流路幅が凸部の流路幅の１．５倍以上であることにより、凹部から供給される流量と凸部から供給される流量の差が大きくなり、多孔板の隣り合う孔から流出した流体が合流することを抑制できるようになる。より好ましくは、全ての隣り合うストライプ状の凹凸の凹部の流路幅３６が凸部の流路幅３７の１．５倍以上であることであり、この場合、多孔板中の全ての孔から流出した流体が合流することを抑制することができる。また、多孔板に設けられた孔の配置や所望する多層積層フィルムによっては、ストライプ状の凹凸が積層方向に周期的で均一な形状である必要はなく、積層方向の位置により凹部の流路幅や凸部の流路幅が変動してもよい。
【００５４】
また、ストライプ状の凹凸は、流路Ａの多孔板側の壁面に設けられても、吐出部側壁面に設けられても良く、もしくは両方の壁面に設けられても良い。また、ストライプ状の凹凸の形状は、四角形状の溝が積層方向に連続して設けられた形状でも、プリズム状の溝が積層方向に連続して設けられた形状でも、もしくは波型に積層方向に流路の奥行方向の長さが変動するように設けられた溝でもよい。重要なことは、流路Ａの奥行方向の長さが積層方向で変動する箇所が設けられていることである。
【００５５】
また、ストライプ状の凹凸は、合流部入口４０まで設けられていることが好ましい。ストライプ状の凹凸がマニホールドから合流部入口までの流路の途中までしか設けられていない場合は、ストライプ状の凹凸で生じた積層方向の流量分布の差が緩和され、多孔板の隣り合う孔から流出した層が合流することを抑制する効果が減少する。ストライプ状の凹凸の合流部側末端が合流部入口まで設けられていることにより、流路Ａから合流部に供給される流体の積層方向における流量について十分な分布を設けることができ、積層方向に分布する孔から流出した流体の流動を制御することで所望する層数の多層積層フィルムを得ることが可能となる。
【００５６】
一方、ストライプ状の凹凸の流動方向の長さは特に制限されるものではなく、流体が流動するときに生じる圧力損失により変形や破損しない範囲であれば流動方向の長さが短くとも、流路Ａから合流部に供給される流体の積層方向における流量について十分な分布を設けることができ、積層方向に分布する孔から流出した流体の流動を制御することで所望する層数の多層積層フィルムを得ることが可能となる。
【００５７】
なお、多孔板に複数の小孔からなる小孔群が形成されてなる場合においては、小孔群と小孔群の間にストライプ状の凹凸の凹部の合流部側末端が、多孔板の隣り合う孔と孔の間に相対するように配置されることで十分な効果を示す。すなわち、所望する多層積層フィルムの層となる流体を流出する孔と隣接する層となる流体を流出する孔との間にストライプ状の凹凸の凹部が存在することが重要である。
【００５８】
本実施形態における流体積層装置１１においては、流路Ａの合流部入口において合流部の流路の中心軸と流路Ａの流路の中心軸３８がなす角度γが６０°以上１２０°以下であることが好ましい。ここでいう角度γは、流動方向上流側から下流側へと角度が大きくなるものであり、流路Ａが上流側から合流部へと連通する場合には９０°未満、下流側から合流部へと連通する場合には９０°より大きい値をとるものである。本発明者らの知見によれば、多孔板１７の隣り合う孔から流出した流体同士が合流することを抑制するためには、多孔板の下部における孔から流出した流体の流速と流路Ａから供給される流体の流速の差を低減することが重要であることを見出した。角度γが６０°未満の場合、流路Ａから供給された流体は多孔板の下部には流れ込みにくく、孔から流出した流体との流速に比べて小さな流速となってしまい、隣り合う孔から流出した流体同士が合流しやすくなってしまう傾向がある。一方、角度γが１２０°よりも大きい場合、流路Ａと孔から流出した流体の流動の方向が大きく異なるため、合流部における流動が不安定化しやすくなり、精度よく流路Ａから供給される流体と孔から流出される流体とを合流させることが難しくなる場合がある。角度γが６０°以上１２０°以下である場合、多孔板１７の下部に流路Ａからの流体を大きな流速で供給することができるようになり、隣り合う孔から流出した流体同士が合流することを抑制する効果が大きくなる。より好ましくは６０°以上９０°以下であり、この場合、孔から流出した流体の流動と流路Ａから供給される流体の流動とが対向して合流することが無いため、より高い積層精度で流体を合流させることが可能となる。
【００５９】
本実施形態における流体積層装置１１の合流部１８の奥行方向の長さ３３は、合流前総流路幅の０．５倍以上１０倍以下であることが好ましい。ここでいう合流部１８の奥行方向の長さとは、装置の積層方向の中央部での奥行方向−流動方向の合流部の断面において、流路の中心軸に垂直な直線の奥行方向の両壁面間の長さの最大値であり、合流前総流路幅とは、マニホールド１５から合流部１８に連通する流路の間隔と、マニホールド１６から合流部１８に連通する流路の間隔と、多孔板１７中のすべての孔２１の奥行方向の長さ２３の最大値との和である。また、マニホールド１５から合流部１８に連通する流路ならびにマニホールド１６から合流部１８に連通する流路の間隔とは、各々の流路における流路の間隔の最小値であるとする。合流部１８の奥行方向の長さ３３が、合流前総流路幅の０．５倍未満の場合には、マニホールド１５、１６から供給される流体が十分に緩和することなく多孔板１７から流出する流体と合流するため、合流点での流速が上昇して合流時の流動の乱れの原因となる可能性がある。一方、合流部１８の奥行方向の長さ１８が合流前総流路幅の１０倍よりも大きい場合には、安定に合流させることは可能であるが、その後の流路において製膜するために適当な吐出部の間隔まで流路を大幅に縮流する必要があり、縮流角度の上昇や縮流長の増大による積層流の形状の乱れの原因となる可能性がある。合流部１８の奥行方向の長さ３３が合流前総流路幅の１倍以上１０倍以下である場合、マニホールド１５、１６から供給された流体の流速を効果的に緩和することができ、合流時の流動を安定化させつつも、吐出部まで望む形状の積層流を保ったまま流動させることが可能となる。
【００６０】
本実施形態における流体積層装置１１は、合流部より流動方向下流の流路において、流路の奥行方向の壁面の縮流角度αが１５°以上９０°以下である縮流部１９を有する必要がある。前述のとおり、多孔板の変形・破損を抑制することができる孔の形状を実現するためには、孔の積層方向の長さに対して奥行方向の長さを２倍以上に設定することが好ましく、合流部での合流を安定化させるためには、合流部の流路幅を合流前総流路幅の１倍以上に設定することが好ましい。しかし、この結果、流路の合流部での流路幅はフィルム上に製膜するために望ましい吐出部２０の間隔よりも大きくなり、流体積層装置から流出した積層流を安定に精度良くフィルム化することが難しくなる。そこで、流路の幅をフィルムを作製するのに適した幅まで縮小するために、縮流部１９が必要とされるものである。また、縮流部の奥行方向の壁面の縮流角度αが３０°以上６０°以下であることが好ましい。縮流部の奥行方向の壁面の縮流角度αが３０°以上６０°以下であることにより、急激な縮流や縮流長の増大による積層流に乱れのリスクを回避でき、フィルムへの成型に適した吐出部の間隔まで積層流の奥行方向の厚みを減少させることが可能となる。
【００６１】
本実施形態における流体積層装置１１は、合流部１８以降における流路の積層方向の最大値が、流路の積層方向の長さの最小値の２倍以下であることが好ましい。合流部１８で積層流が形成された後に積層方向の長さに変化が生じると、特に積層方向端部における積層流の形状が変形し、設計した形状の多層積層フィルムが得られなくなる可能性がある。そこで、合流部１８以降における流路の積層方向の最大値が、流路の積層方向の長さの２倍以下とすることにより、積層方向の長さの変化に伴う積層流の形状の変形を抑制することが可能となり、設計した形状の多層積層フィルムを得ることが可能となる。好ましくは、合流部１８以降における流路の積層方向の最大値が、流路の積層方向の長さの最小値の１．５倍以下であり、より好ましくは、合流部１８以降における流路の積層方向の最大値が、流路の積層方向の長さの最小値の１．１倍以下である。合流部１８以降における流路の積層方向の最大値が、流路の積層方向の長さの最小値の１．１倍以下である場合、ほとんど流路の積層方向の長さの変化が無いため、合流部以後の流動中における積層流の形状の変化をほぼ抑制することが出来る。
【００６２】
本実施形態における流体積層装置を用いて複数の流体を積層させる際には、多孔板の全ての孔から流出する流体についても、１０℃以内の温度範囲で流出させることが好ましい。多孔板中の孔から流出する流体の温度に１０℃よりも高い温度差がある場合、温度差による流体の流動特性の差により合流時の安定性に差が生じ、結果としてたとえ同一の形状の孔から流体を流出させたとしても、得られた多層積層フィルムの層の形状が層によって異なった形状となり、所望する形状の層が積層された多層積層フィルムを得られない可能性がある。好ましくは、多孔板の全ての孔から流出する流体についても、１℃以内の温度範囲で流出させることであり、この場合、温度差がほとんど存在しないため、所望する形状の層の形状を持つ多層積層フィルムが得られる。
【００６３】
本実施形態における流体積層装置を用いて複数の流体を積層させる際には、多孔板１７を経て合流部１８へと流出させる流体の粘度よりも、マニホールド１５、１６を経て合流部へと流出させる流体の粘度のほうが低いことが好ましい。ここでいう流体の粘度とは、回転式レオメーターを用いて動的粘弾の測定を行った際のせん断速度１０ｓ−１での複素粘性率の値である。多孔板を経て合流部へと流出させる流体の粘度よりも多孔板を経ないで合流部へと流出させる流体の粘度のほうが高い場合には、多孔板から流出させた流体が合流時に不安定化し積層流に乱れが生じる可能性がある。多孔板を経て合流部へと流出させる流体の粘度よりも多孔板を経ないで合流部へと流出させる流体の粘度のほうが低い場合、多孔板から流出させた流体を流動に乱れが生じること無く多孔板を経ないで合流部に流出させた流体と合流させることができ、乱れの無い積層流を得ることが可能となるため、所望する形状の層の形状を持つ多層積層フィルムを安定して連続的に作製することが可能となる。
【実施例】
【００６４】
以下、図２〜４に記載の流体積層装置を用い、流体として２種類の熱可塑性樹脂を用いて多層積層フィルムを製膜した際の断面形状を測定し、本実施形態における流体積層装置の効果を検証した結果について、さらに説明する。下記に本実施形態に使用した物性値の評価法を記載する。
（物性値の評価法）
（１）断面形状の観察方法
得られた多層積層フィルムからミクロトームを用いて断面（幅方向−厚み方向断面）を切り出したサンプルについて、光学顕微鏡  OPTPHOT−２（（株）ニコン製）により、その断面を反射法にて観察した。観察倍率は、１００倍程度で観察し、その画像をパソコン内部へ取り込んだ。次に、画像処理ソフト Image-Pro  Plus  ver.4（販売元  プラネトロン（株））を用いて、このファイルを開き、必要であれば、画像処理を行った。画像処理は、層の形状を鮮明にするために行うものであり、例えば、ソフト付属の２値化およびローパスフィルタ処理などを行った。得られた結果から層構造を確認でき、層数と層の形状について、設けた孔の数をＮである場合に層数が２Ｎ＋１層でありかつ全ての層の形状がほぼ同一であるものは○、層数は２Ｎ＋１層であるものの層の形状に違いがあるものを△、それ以外のものについては×とした。また、１つの層を形成せしめることができる小孔群を含んだ多孔板を使用した場合には、小孔群を一つの孔として数え、同様に評価をおこなった。
（２）層厚みの幅方向の経時変化の解析
基準となる箇所（基準サンプル）と、基準となる箇所から１０ｃｍフィルム長手方向に移動した箇所（比較サンプル）の２箇所についてサンプルを作成し、（１）の方法を用いて断面形状の観察を行った。
【００６５】
得られた両サンプルの断面観察の結果について、画像解析ソフトにて、平行シックプロファイルモードで、フィルム幅方向の２本の平行ライン間に全ての層が挟まれるよう配置し、位置とライン間の平均明るさとの関係を、数値データとして読み取った。平衡ラインの設定の様子については、図６ａに模式的に示す。表計算ソフト（Excel2003）を用いて、位置（μｍ）と明るさのデータに対してサンプリングステップ４（間引き４）でデータ採用した後に、３点移動平均の数値処理を施した。さらに、この得られた明るさが変化するデータを微分しＶＢＡプログラムにより、その微分曲線の極大値と極小値を読み込み、隣り合うこれらの間隔を１層の層厚みとして層厚みを算出し、この結果を幅方向の層厚みとした。
【００６６】
両サンプルより得られた幅方向の層厚み結果について、対応する層の層厚みの差を算出し、得られた差の最大となる層Ｍについて、下記式１により得られた値を層厚みの幅方向の経時変化ＤＷとした。得られた層厚みの幅方向の経時変化の値が、５％未満であるものを○、５％以上１０％未満であるものを△、１０％以上であるものを×とした。
【００６７】
ＤＷ＝（Ｔ（Ｍ）−Ｔ’（Ｍ））×１００／Ｔ（Ｍ）      （１）
Ｔ（Ｍ） ：基準サンプルの層Ｍの幅方向の厚み
Ｔ’（Ｍ） ：比較サンプルの層Ｍの幅方向の厚み
（３）層厚みの厚み方向の経時変化の解析
基準となる箇所（基準サンプル）と、基準となる箇所から１０ｃｍフィルム長手方向に移動した箇所（比較サンプル）の２箇所についてサンプルを作成し、（１）の方法を用いて断面形状の観察を行った。
【００６８】
得られた両サンプルの幅方向に積層された全ての層について、画像解析ソフトにて、平行シックプロファイルモードで、フィルム厚み方向の２本の平行ライン間にフィルム厚み方向での層の両端が挟まれるよう配置し、位置とライン間の平均明るさとの関係を、数値データとして読み取った。平衡ラインの設定の様子については、図６ｂに模式的に示す。表計算ソフト（マイクロソフト社のExcel2003）を用いて、位置（μｍ）と明るさのデータに対してサンプリングステップ４（間引き４）でデータ採用した後に、３点移動平均の数値処理を施した。さらに、この得られた明るさが変化するデータを微分しＶＢＡプログラムにより、その微分曲線の極大値と極小値を読み込み、隣り合うこれらの間隔を１層の層厚みとして層厚みを算出し、この結果を厚み方向の層厚みとした。
【００６９】
両サンプルより得られた厚み方向の層厚み結果について、対応する層の厚み方向の層厚みの差を算出し、得られた差の最大となる層Ｍ’について、下記式２により得られた値を層厚みの幅方向の経時変化ＤＴとした。得られた層厚みの幅方向の経時変化の値が、５％未満であるものを○、５％以上１０％未満であるものを△、１０％以上であるものを×とした。
【００７０】
ＤＴ＝（Ｔ（Ｍ’）−Ｔ’（Ｍ’））×１００／Ｔ（Ｍ）      （２）
Ｔ（Ｍ’） ：基準サンプルの層Ｍ’の幅方向の厚み
Ｔ’（Ｍ’） ：比較サンプルの層Ｍ’の幅方向の厚み
（４）断面積の算出と形状の経時変化について
基準となる箇所（基準サンプル）と、基準となる箇所から１０ｃｍフィルム長手方向に移動した箇所（比較サンプル）の２箇所についてサンプルを作成した。
【００７１】
得られた断面形状について、画像解析ソフトにて、多孔板から流出した樹脂に相当する各層の面積を求める。すわなち、Ｃｏｕｎｔ／Ｓｉｚｅダイアログボックスの測定メニューから、測定項目のうち、“Ａｒｅａ（面積）”を選択し、Ｃｏｕｎｔボタンを押し、自動測定を行った。こうして各層の断面積を求め、得られた基準サンプルと比較サンプルの対応する層の断面積の差を算出し、得られた差の最大となる層Ｍ’’について、下記式３により得られた値をＤＳとした。得られた断面積の経時変化ＤＳの値が、１％未満であるものを○、１％以上５％未満のものを△、５％以上であるものを×とした。
【００７２】
ＤＳ＝（Ｓ（Ｍ’’）−Ｓ’（Ｍ’’））×１００／Ｔ（Ｍ）      （３）
Ｓ（Ｍ’’） ：基準サンプルの層Ｍ’’の幅方向の厚み
Ｓ’（Ｍ’’） ：比較サンプルの層Ｍ’’の幅方向の厚み
（５）溶融粘度の測定
回転式レオメーター  ＭＲ−３００ソリキッドメーター（レオロジ製）を用いて動的粘弾性測定を行った。測定には、平行円板（直径１８ｍｍ）を用い、Ｎ２雰囲気下、押出温度で、振幅１°、せん断速度０．６〜３１ｓ−１の条件で測定を行った。得られたデータのうち、せん断速度１０ｓ−１での複素粘性率をせん断粘度とした。なお、実施例にて乾燥して製膜に用いた樹脂については、本測定においても同様の条件にて乾燥を行った。
［実施例１］
流体Ａ、Ｂとして、熱可塑性樹脂Ａと熱可塑性樹脂Ｂを準備した。熱可塑性樹脂Ａとしてはポリメチルメタクリレート（ＰＭＭＡ）を空気中、８０℃の条件で乾燥した後に用いた。また熱可塑性樹脂Ｂとしては、テトラフルオロエチレン２０ｍｏｌ％、フッ化ビニリデン８０ｍｏｌ％の４フッ化エチレン・エチレン共重合体（共重合ＰＶＤＦ）を空気中、８０℃の条件で乾燥して用いた。これらの樹脂を別々の押出機に供給した。
【００７３】
図７は、本実施形態に係る流体積層装置を用いる多層積層フィルムの製膜装置の概略図を示したものである。熱可塑性樹脂Ａは、それぞれ、押出機にて２５０℃の溶融状態とし、ギヤポンプおよびフィルターを介した後、図７に示す導入路４１を経て図２に示す導入口１２と導入された。同様に、熱可塑性樹脂Ａは、それぞれ、押出機にて２５０℃の溶融状態とし、ギヤポンプおよびフィルターを介した後、図７に示す導入路４２を経て図２に示す導入口１３と導入された。なお、ギアポンプから吐出される樹脂の量の比は、熱可塑性樹脂Ａ：熱可塑性樹脂Ｂ＝４：１とする。用いた流体積層装置１１の構造の詳細については表１に示す。なお、本実施例の流体積層装置の多孔板に設けられた孔の形状は全て同一であり長辺を奥行方向と平行とする長方形である。また、流路Ａの形状は、積層方向を長辺とする４００ｍｍ×２ｍｍの扁平な長方形であり、該流路Ａの積層方向−流動方向断面において流動方向の高さが変動する箇所は設けられていない。また、縮流部の形状は、図２ｃや図４に示すとおり、合流部から一様の縮流角度で縮流した後に吐出部の間隔になる形状である。
【００７４】
上記流体積層装置１１を用いて作製された積層流動は、静電印加にて表面温度２５℃に保たれたキャストドラム４３上で急冷固化して、未延伸フィルム４４とした。得られたフィルムは、幅４００ｍｍ、厚み２００μｍで、フィルムの厚み方向中央部に共重合ＰＶＤＦとＰＭＭＡが交互に３００１層積層され、厚み方向の上下に共重合ＰＶＤＦ層が積層された多層積層フィルムである。また、その断面は幅方向の全ての層についてほぼ同様の形状をしており、フィルム長手方向の異なる箇所での層の形状にも変化が無かった。結果について、表１に示す。
【００７５】
【表１】
2009096190.tif 000003
【００７６】
[実施例２]
表１に示す特徴を有し流路Ａの形状が積層方向に４００ｍｍ、奥行方向に２ｍｍの扁平な長方形である流体積層装置１１を用いた以外は、実施例１と同様の装置・条件にて製膜し、未延伸フィルムとした。得られたフィルムは、幅４００ｍｍ、厚み２００μｍで、フィルムの厚み方向中央部に共重合ＰＶＤＦとＰＭＭＡが交互に３００１層積層され、厚み方向の上下に共重合ＰＶＤＦ層が積層された多層積層フィルムである。また、その断面は幅方向の箇所により若干の層の形状に違いはあるものの、フィルム長手方向の異なる箇所での層の形状にも変化が無かった。結果について、表１に示す。
[実施例３]
表１に示す特徴を有し流路Ａの形状が積層方向に４００ｍｍ、奥行方向に２ｍｍの扁平な長方形である流体積層装置１１を用いた以外は、実施例１と同様の装置・条件にて製膜し、未延伸フィルムとした。得られたフィルムは、幅４００ｍｍ、厚み２００μｍで、フィルムの厚み方向中央部に共重合ＰＶＤＦとＰＭＭＡが交互に３００１層積層され、厚み方向の上下に共重合ＰＶＤＦ層が積層された多層積層フィルムである。また、その断面は幅方向の箇所により若干の層の形状に違いはあるものの、フィルム長手方向の異なる箇所での層の形状にも変化が無かった。結果について、表１に示す。
[実施例４]
表１に示す特徴を有し流路Ａの形状が積層方向に４００ｍｍ、奥行方向に２ｍｍの扁平な長方形である流体積層装置１１を用いた以外は、実施例１と同様の装置・条件にて製膜し、未延伸フィルムとした。得られたフィルムは、幅４００ｍｍ、厚み２００μｍで、フィルムの厚み方向中央部に共重合ＰＶＤＦとＰＭＭＡが交互に３００１層積層され、厚み方向の上下に共重合ＰＶＤＦ層が積層された多層積層フィルムである。また、その断面は幅方向の箇所により若干の層の形状に違いがあり、フィルム長手方向の異なる箇所での層の形状にも若干に違いがあるものであった。結果について、表１に示す。
〔実施例５〕
表１に示す特徴を有し、流路Ａの形状が合流部入口において凹部の流路幅２ｍｍ、凸部の流路幅０．５ｍｍで凹部が１４９９個設けられたストライプ状の流路が合流部入口まで設けられ、かつその全ての凹部が全ての孔と孔との間に相対するように配置された流体積層装置１１を用いた以外は、実施例１と同様の装置・条件にて製膜し、未延伸フィルムとした。得られたフィルムは、幅４００ｍｍ、厚み２００μｍで、フィルムの厚み方向中央部に共重合ＰＶＤＦとＰＭＭＡが交互に３００１層積層され、厚み方向の上下に共重合ＰＶＤＦ層が積層された多層積層フィルムである。また、その断面は幅方向の全ての層についてほぼ同様の形状をしており、フィルム長手方向の異なる箇所での層の形状にも変化が無かった。また、実施例１に示す流体積層装置と比較して、より様々な積層される流体の流量比率の範囲で精度良く積層できるものであった。結果について、表１に示す。
〔実施例６〕
表１に示す特徴を有し、流路Ａの形状が合流部入口において凹部の流路幅２ｍｍ、凸部の流路幅０．５ｍｍで凹部が１４９９個設けられたストライプ状の流路が合流部入口まで設けられ、かつその全ての凹部が全ての孔と孔との間に相対するように配置された流体積層装置１１を用いた以外は、実施例１と同様の装置・条件にて製膜し、未延伸フィルムとした。得られたフィルムは、幅４００ｍｍ、厚み２００μｍで、フィルムの厚み方向中央部に共重合ＰＶＤＦとＰＭＭＡが交互に３００１層積層され、厚み方向の上下に共重合ＰＶＤＦ層が積層された多層積層フィルムである。また、その断面は幅方向の全ての層についてほぼ同様の形状をしており、フィルム長手方向の異なる箇所での層の形状にも変化が無かった。また、実施例１に示す流体積層装置と比較して、より様々な積層される流体の流量比率の範囲で精度良く積層できるものであったが、実施例５と比較すると層と層の間隔が狭くなっており、精度良く積層できる流体の流量比率の範囲も若干狭いものであった。結果について、表１に示す。
〔実施例７〕
表１に示す特徴を有し流路Ａの形状が積層方向を長辺とする４００ｍｍ×２ｍｍの扁平な長方形であり、奥行方向に間隔１５０μｍで４つの孔が配置されて孔群を形成し、積層方向に間隔４００μｍで孔群が配置してなる多孔板を備えた流体積層装置１１を用いた以外は、実施例１と同様の装置・条件にて製膜し、未延伸フィルムとした。得られたフィルムは、幅４００ｍｍ、厚み２００μｍで、フィルムの厚み方向中央部に共重合ＰＶＤＦとＰＭＭＡが交互に１５０１層積層され、厚み方向の上下に共重合ＰＶＤＦ層が積層された多層積層フィルムである。また、その断面は幅方向の箇所により若干の層の形状に違いがあるものの、フィルム長手方向の異なる箇所での層の形状にも変化が無かった。また、実施例１に示す流体積層装置と比較すると、各層の形状が幅方向の長さと厚み方向の長さの比率が多きくなり扁平の度合いが高い層形状であった。結果について、表１に示す。
[比較例１]
表１に示す特徴を有する流体積層装置１１を用いた以外は、実施例１と同様の装置・条件にて製膜し、未延伸フィルムとした。得られたフィルムは、幅４００ｍｍ、厚み２００μｍで、フィルムの厚み方向中央部に共重合ＰＶＤＦとＰＭＭＡが交互に３００１層積層され、厚み方向の上下に共重合ＰＶＤＦ層が積層された多層積層フィルムである。また、その断面は幅方向の箇所により若干の層の形状に違いはあり、かつフィルム長手方向の異なる箇所での層の形状には大きなばらつきがあるフィルムであった。結果について、表１に示す。
[比較例２]
表１に示す特徴を有する流体積層装置１１を用いた以外は、実施例１と同様の装置・条件にて製膜し、未延伸フィルムとした。得られたフィルムは、幅４００ｍｍ、厚み２００μｍで、すでに層構造を確認できないほどの形状の変化が生じているものであった。結果について、表１に示す。
【産業上の利用可能性】
【００７７】
本実施形態は、フィルム幅方向に積層された多層積層フィルムの製膜に応用されるものであるが、流動の乱れを生ずることなく合流させることが要求される用途に関しては、いかなる用途においても利用可能なものである。
【図面の簡単な説明】
【００７８】
【図１ａ】２つの流体をフィルム幅方向に層をなすように積層状に合流させるための流体積層装置の概略図であり、装置の積層方向の中央部における合流部での奥行方向−流動方向の断面図である。
【図１ｂ】２つの流体をフィルム幅方向に層をなすように積層状に合流させるための流体積層装置の概略図であり、装置の奥行方向の中央部における合流部での積層方向−流動方向の断面図である。
【図２ａ】２つの流体をフィルム幅方向に層をなすように積層状に合流させるための流体積層装置の概略図であり、図２ｂ、ｃにおけるＸ−Ｘ断面矢視図である。
【図２ｂ】２つの流体をフィルム幅方向に層をなすように積層状に合流させるための流体積層装置の概略図であり、図２ａ、ｃにおけるＹ−Ｙ断面矢視図である
【図２ｃ】２つの流体をフィルム幅方向に層をなすように積層状に合流させるための流体積層装置の概略図であり、装置の積層方向の中央部における合流部での奥行方向−流動方向の断面図である。
【図２ｄ】２つの流体をフィルム幅方向に層をなすように積層状に合流させるための流体積層装置１１の図２ａ、ｂ、ｃとは異なる実施形態についての概略図であり、装置の積層方向の中央部における合流部での奥行方向−流動方向の断面図である。
【図３ａ】積層方向に直列な孔の列が一列配置してなる多孔板１７の流動方向上部から見た概略図である。
【図３ｂ】積層方向に直列な孔の列が二列配置してなる多孔板１７の流動方向上部から見た概略図である。
【図３ｃ】奥行方向に並んだ４つの小孔からなる小孔群が積層方向に直列に配置してなる多孔板１７の流動方向上部から見た概略図である。
【図３ｄ】多孔板１７の積層方向の端部の様子を示した概略図である。
【図４ａ】合流部以後の流路の説明図であり、装置の積層方向の中央部における合流部での奥行方向−流動方向の断面図である。
【図４ｂ】合流部以後の流路の説明図であり、装置の積層方向の中央部における合流部での奥行方向−流動方向の断面図である。
【図４ｃ】図４ｃは、積層方向に変動するストライプ状の凹凸の説明図であり、流路Ａを奥行方向から見た概略図である。
【図４ｄ】ストライプ状の凹凸の断面形状についての説明図であり、マニホールド１５、１６と合流部１８との間に設けられた流路Ａの合流部入口における奥行方向−積層方向の断面図である。
【図５】中心軸を定義する説明図であり、装置の積層方向の中央部における奥行方向−流動方向の断面図である。
【図６ａ】得られた多層積層フィルムの幅方向−厚み方向の断面図であり、フィルム幅方向の積層厚みの算出の様子を示したものである。
【図６ｂ】得られた多層積層フィルムの幅方向−厚み方向の断面図であり、フィルム厚み方向の積層厚みの算出の様子を示したものである。
【図７】流体積層装置を用いる多層積層フィルムの製膜装置の概略図である。
【図８ａ】流体積層装置の奥行方向の中央における積層方向−流動方向の断面図である。
【図８ｂ】流体積層装置の積層方向の中央における奥行方向−流動方向の断面図である
【符号の説明】
【００７９】
１：流体積層装置
２：導入口
３：導入口
４：マニホールド
５：マニホールド
６：多孔板
７：合流部
８：吐出部
１１：流体積層装置
１２：導入口
１３：導入口
１４：マニホールド
１５：マニホールド
１６：マニホールド
１７：多孔板
１８：合流部
１９：縮流部
２０：吐出部
２１：孔
２１ａ：小孔
２２：孔の積層方向の長さ
２３：孔の奥行方向の長さ
２４：孔の間隔
２５：多孔板の厚み
２６：最も積層方向端部に設けられた孔から多孔板の端部までの距離
２７：多孔板の奥行方向の端部から孔までの距離
２８：多孔板の奥行方向の長さ
２９：流路の中心軸
３０：流体積層装置の流動方向、奥行方向に平行な面であって、かつ合流部以後の流路の体積を２分する平面
３１：合流部以後の流路の奥行方向での両末端の壁面で最も流動方向の上流に位置する点を結んだ直線の中点
３２：吐出部における奥行方向の中心に位置する点
３３：合流部の奥行方向の長さ
３４：流路Ａ
３５：流路Ａ
３６：ストライプ状の凹凸の凹部の流路幅
３７：ストライプ状の凹凸の凸部の流路幅
３８：流路Ａの中心軸
３９：ストライプ状の凹凸
４０：合流部入口
４１：流体Ａを流体積層装置１１に導入する導入管
４２：流体Ｂを流体積層装置１１に導入する導入管
４３：キャストドラム
４４：未延伸フィルム
４５：フィードブロック
４６：直管
４７：口金
４８：導入路
４９：導入路
５０：マニホールド
５１：マニホールド
５２：スリット
５３：合流部
【図１ａ】
2009096190.tif 000004
【図１ｂ】
2009096190.tif 000005
【図２ａ】
2009096190.tif 000006
【図２ｂ】
2009096190.tif 000007
【図２ｃ】
2009096190.tif 000008
【図２ｄ】
2009096190.tif 000009
【図３ａ】
2009096190.tif 000010
【図３ｂ】
2009096190.tif 000011
【図３ｃ】
2009096190.tif 000012
【図３ｄ】
2009096190.tif 000013
【図４ａ】
2009096190.tif 000014
【図４ｂ】
2009096190.tif 000015
【図４ｃ】
2009096190.tif 000016
【図４ｄ】
2009096190.tif 000017
【図５】
2009096190.tif 000018
【図６ａ】
2009096190.tif 000019
【図６ｂ】
2009096190.tif 000020
【図７】
2009096190.tif 000021
【図８ａ】
2009096190.tif 000022
【図８ｂ】
2009096190.tif 000023